(57)【要約】  本発明は一対の眼鏡をかけた患者の遠視に相応する第１の位置と、近視に相応する第２の位置との間に形成される角度△を測定する装置であって、前記装置は：２つの位置のそれぞれにおける一対の眼鏡の方位を記録するための記録手段（２２）、および前記方向の関数として角度△を決定するための処理手段（３０）、を包含し、そして前記装置は、遠視の患者の姿勢を明確にする視覚参照要素（２６）を含むことを特徴とする前記装置に関する。【選択図】図３
2009529143.tif 000002
【特許請求の範囲】
【請求項１】
一対の眼鏡をかけた患者の遠視に相応する第１の位置と、近視に相応する第２の位置との間に形成される角度△を測定する装置であって、前記装置は：
−２つの位置のそれぞれにおける一対の眼鏡の方位を記録できる記録手段（２２）、および
−前記方位の関数として角度△を決定するための処理手段（３０）、
を包含し、そして
前記装置は、遠視の患者の姿勢を明確にする視覚参照要素（２６）を含むことを特徴とする前記装置。
【請求項２】
測定の間、機械的に一対の眼鏡に取付けられる位置決め部材（８）を包含し、この位置決め部材は少なくとも一つの参照マーク（１８）を含んでおり、記録手段（２２）は前記参照マーク（１８）の方位を記録できることを特徴とする請求項１の装置。
【請求項３】
装置が記録手段（２２）の高さを調整するための変位手段（２４）を包含することを特徴とする請求項１および請求項２の装置。
【請求項４】
記録手段が動画カメラ（２２）を包含することを特徴とする前記いずれかの請求項の装置。
【請求項５】
処理手段（３０）が画像処理モジュール（３４）を包含することを特徴とする請求項４の装置。
【請求項６】
視覚参照要素（２６）が記録手段（２２）の近くにあることを特徴とするいずれかの前記請求項の装置
【請求項７】
視覚参照要素（２６）が記録手段（２２）の上側か下側にあることを特徴とする請求項６の装置。
【発明の詳細な説明】
【技術分野】
【０００１】
本発明は一対の眼鏡をかけた患者の遠視に相応する第１の位置と、近視に相応する第２の位置との間に形成される角度△を測定する装置に関する。
【０００２】
眼鏡商業の分野において、眼鏡のフレームに関して、生理学的なパラメーターを決定するために試みる種々な方法と装置が知られている。いくつかの装置では、動画カメラの手段により測定の自動記録をしてそして得られた画像を処理する手段で結果の適切な測定を決定することが可能である。処理した測定で眼鏡技師はそれから患者に補正眼鏡を造ることができる。
【０００３】
本発明は遠視および近視を考慮した補正レンズに関する。そのような補正レンズを含む一対の眼鏡は図１に図示される。それぞれの補正レンズ２は補正レンズの上部分と横部分を占める第１の箇所４からなり、そして補正レンズの中央下部分を占める第２の箇所６からなる。第１の箇所は患者により遠視のために利用されるものであり、それに対し第２の箇所は近視のために利用される。これらの両方の箇所は一般的に中間箇所、いわゆる累進帯によって分離されており、図示されていない。近視において、視力は８０ｃｍ以下を意味し、特別には４０ｃｍのオーダーであり、これは彼の／彼女の手の間に患者により保持される資料を読むために利用される視力である。
【０００４】
補正レンズの上限と第２の箇所６の上限との距離ｄは患者に依存して変わる。それを決定するために、眼鏡技師は患者に遠くをそしてそれから近くを見るように頼みそして彼／彼女は両視力の患者の眼鏡の位置の差、すなわち両視力の患者の縦方向の頭の動きの度合いを記録する。これらの位置の間の角度の差△で、眼鏡技師は患者のための適切な距離ｄを知ることができる。
【０００５】
従来の技術の障害は遠視の眼鏡の位置が大変不完全に決定されていたことである。事実、患者に距離をおいて凝視するように頼む眼鏡技師は患者が何を見ているか正確に知らない。見ているものは遠視に正確に相応しない位置にある特殊な目的物に惹きつけられた彼／彼女の一瞥かも知れない。遠視の眼鏡の適切な位置に関するこの不正確な結果は距離ｄの値に不正確さをもたらす。彼／彼女が遠視から近視あるいはその逆を通過するとき一対の眼鏡を調整（移動）するよう力をかけさせられる患者を不愉快にさせる。
【０００６】
本発明の目的は従来の技術の障害を克服しそして角度△がもっと正確に測定できる装置を提案し、そしてかくして第１と第２の箇所の制約が第２の箇所の視力に適する補正レンズを患者に提供することである。
【０００７】
かくして本発明の目的は一対の眼鏡をかける患者の遠視に相応する第１の位置と近視に相応する第２の位置の間に形成される角度△測定するための装置であり、前記装置は二つの位置のそれぞれの一対の眼鏡の方位を記録できる記録手段および前記方位の関数として角度△を決定するための処理手段を包含し、この装置はさらに遠視測定のため患者の姿勢を決めるための視覚の参照要素を含んでいる。
【０００８】
視覚の参照要素で第１の位置は正確な方法で決定され、そしてそれにより遠視および近視に相応する位置間の角度△を決定できる。
【０００９】
優位な点として、装置は測定の間、一対の眼鏡に機械的に取付けられる位置決め部材を包含し、この位置決め部材は少なくとも一つの参照マークを含み、記録手段は前記参照マークの方位を記録できる。
【００１０】
好ましい実施態様に従って、装置は記録手段の高さを調整するための変位手段を含んでいる。
【００１１】
優位な点として、記録手段は動画カメラでありそして処理手段は、例えば、ソフトウエアパッケージとして両位置のそれぞれの視覚参照要素の方位を決定しそしてそこから角度△を推察するための画像処理モジュールを含んでいる。
【００１２】
視覚の参照要素は記録手段と望ましくは一体である。
【００１３】
制限のない実施例として、本発明の実施態様は付属の図面を参照して下記に記述する。
【００１４】
既に記述した図１は一対の眼鏡、遠視の箇所および近視の箇所を含む補正レンズを図示する、
【００１５】
図２ａおよび２ｂはそれぞれ位置決め部材を伴う一対の眼鏡の前面および側面を図示する、
【００１６】
図３は遠視の位置決め部材の方位の測定を図示する、
【００１７】
図４は近視の位置決め部材の方位の測定を図示する、そして
【００１８】
図５は装置の処理手段を概要的に図示する。
【００１９】
一対の眼鏡１０に取付けられた位置決め部材８は図２ａおよび２ｂに図示される。この位置決め部材は本質的に水平のブリッジを含んでおり、それぞれの端は補正レンズ２の前面が支えられている第１のブランチ１４および補正レンズの裏面に固定されている第２のブランチ１６を持っている。位置決め部材は少なくとも一つの参照マーク１８を含んでいる。後者の方位は測定装置によって記録され決定される。方位の差−遠視と近視の間の患者の頭の異なった位置から結果がでる−は眼鏡技師にこの患者に対する距離ｄ（図１参照）の適正な値を正確に決めさせることができる。
【００２０】
図２ａに図示すように、位置決め部材は一対の眼鏡の適当な位置決めを水平線と相対的にチェックするための参照マーク２０のような付加的参照マークを含む。これらの参照マーク２０はまた参照マーク１８の方向を測定するために使用され、後者は参照マーク２０を結ぶ直線ｌの上方の参照マーク１８の高さｈの関数である。
【００２１】
図３および図４は、知られた方法で、角度△およびその後距離ｄを決定するための本発明に従う装置の使用を図示している。
【００２２】
この装置は図２ａおよび図２ｂに図示するように一対の眼鏡に取付けられた位置決め部材を包含する。これは、例えば高さ調節可能な変位手段を形成するカラム２４に取付けられた動画カメラあるいはスチールカメラのような記録手段２２を包含する。遠視の間、位置決め部材の参照マークの方位を決定するために、装置は患者に対する視覚参照要素２６を含んでいる。この視覚参照要素は例えば記録手段の丁度上か下に設置される。これはまた記録手段のレンズを取り巻く環状型である。これはまた記録手段に接近している必要はなく例えば記録手段の背面にある壁に取り付けられる。
【００２３】
従来の技術に従う装置においては、患者彼自身／彼女自身が遠視の彼／彼女の頭の位置に関していると思う参照を選択する。それから彼／彼女は参照として遠視の彼の／彼女の自然な姿勢に相応する不完全な点をとるかも知れない。
【００２４】
本発明において、患者の凝視を視覚参照要素に力を入れることによりこの不正確さを取り除くことができる。
【００２５】
補正レンズの中間の平面と垂直方向の間に形成される角度βは捕捉した画像を解析する処理手段によって参照マーク１８の方位（図２ａおよび２ｂ）を計算される。
【００２６】
測定手段は図４に示されるように、近視に対し同様な方法で再び適用される。
患者に資料２８を見るようにさせ、彼／彼女は彼／彼女自身の読書に沿った通常の姿勢を保つ。補正レンズの中間の平面と垂直方向の間に形成される角度αは角度βと同様の処理方法により計算される。患者の補正レンズのための値ｄ（図１）はそれから知られた方法で角度の差△＝α−βから推察される。
【００２７】
図３および図４において、参照は遠視および近視の補正レンズの中間の平面によって形成される角度に対して作られた、例えばブランチあるいは参照マーク１８のような一対の眼鏡に機械的に取付けられた他の構成部品は遠視と近視の間の異なる方位を持っていることおよびこのような方位の差は角度の差△をまた形成することは明らかである。
【００２８】
遠視と近視の間の方位の測定は記録手段を患者の比較的横に設置し（視覚参照要素は常に患者に面して設置される）、それで処理手段は眼鏡のブランチあるいは参照マークあるいは一対の眼鏡のいずれの他の部分あるいは位置決め部材の角度差を測定することにより遠視と近視間の角度△を決定することによってそれ故達成されることが理解できる。
【００２９】
図５は処理手段３０の実施態様を概略的に図示している。これは保存した画像内の参照マーク１８の方位を決定するために動画カメラ２２および画像処理モジュール３４により伝達された画像を保存するための保存モジュールを包含する。遠視および近視にある患者の姿勢に相応する保存画像から、処理手段３０は引き続いて角度αおよびβ、およびそれより角度差△＝α−βそしてこの差から距離ｄを求める。
【図面の簡単な説明】
【００３０】
【図１】一対の眼鏡、遠視の箇所および近視の箇所を含む補正レンズを図示する。
【図２ａ】一対の眼鏡の前面および側面を図示する。
【図２ｂ】一対の眼鏡の前面および側面を図示する。
【図３】遠視の位置決め部材の方位の測定を図示する。
【図４】近視の位置決め部材の方位の測定を図示する。
【図５】装置の処理手段を概要的に図示する。
【符号の説明】
【００３１】
２，４，６    補正レンズ
８            部材
１０          眼鏡
１４          第１のブランチ
１６          第２のブランチ
１８，２０    参照マーク
２２          動画カメラ
２４          変位手段
２６          視覚参照要素
２８          資料
３０          処理手段
３４          画像処理モジュール
【図１】
2009529143.tif 000003
【図２ａ】
2009529143.tif 000004
【図２ｂ】
2009529143.tif 000005
【図３】
2009529143.tif 000006
【図４】
2009529143.tif 000007
【図５】
2009529143.tif 000008
【国際調査報告】
2009529143.tif 000009
2009529143.tif 000010
2009529143.tif 000011
2009529143.tif 000012